(57)【要約】      （修正有）【課題】使用時に収納された棒状化粧料が容器内に戻る現象がない機構を有した繰上式棒状化粧料容器の提供。【解決手段】本発明の繰上式棒状化粧料容器は、中皿の外周面に設けた円弧状の突起部の外周径が内筒１に設けた案内孔２の溝幅よりも若干大きく、しかも該中皿の外周面に設けた突起部を円弧状にすることでベント効果をもたせ、該中皿が該内筒１内を上下する際の抵抗を単に増大させるだけでなく棒状化粧料の容器内への戻りを防ぐ効果を有するとともに該中皿の該中筒内での移動を滑らか且スムーズに行えることを可能とした。【選択図】図１
2008011993.tif 000002
【特許請求の範囲】
【請求項１】
内側に螺旋溝を設けた外筒に、上端に円周方向の停止溝を連ねる軸方向の案内孔を有する内筒を回転可能で進退不可に内嵌めし、外周から突起を突設した筒体の棒状化粧料の中皿を内筒に内嵌めすると共に突起を前記案内孔を通して螺旋溝内に遊合させ、中皿を筒体内に内嵌めすると共に案内突起を前記案内孔を通して螺旋溝に遊合できる機構を有した繰上式棒状化粧料容器において、前記中皿の外周面に備えた突起の形状が、２つの円弧状からなり該円弧状突起の外径が内筒に設けた縦方向の案内孔の幅よりも大きくなる大きさに備えたことを特徴とする繰上式棒状化粧料容器。
【発明の詳細な説明】
【技術分野】
【０００１】
本発明は、口紅等の棒状化粧料を収納する繰上式棒状化粧料容器に関し、詳しくは使用時に収納された棒状化粧料が容器内に戻る現象がない機構を有した繰上式棒状化粧料容器に関する。
【背景技術】
【０００２】
従来、口紅等の棒状化粧料を収納する繰上式棒状化粧料容器の機構は、内側に螺旋溝を設けた外筒に、上端に円周方向の停止溝を連ねる軸方向の案内孔を有する内筒を回転可能で進退不可に内嵌めし、外周から突起を突設した筒体の棒状化粧料の中皿を内筒に内嵌めすると共に突起を前記案内孔を通して螺旋溝内に遊合させ、中皿を筒体内に内嵌めすると共に案内突起を前記案内孔を通して螺旋溝に遊合できる機構を有した繰上式棒状化粧料容器において、内筒を回転させる容器下段部にロートレットを刻印した把持部を有し、該把持部を回転させることにより収納された口紅等の棒状化粧料を上下させるようにしている。このような繰上式棒状化粧料容器にあって、使用中に口紅等の棒状化粧料が容器内に戻ってしまう現象が発生しないように、内筒と外筒の間にシリコーン油等の粘滑な油剤を付着させ、内筒が回転する際に抵抗を持たせるとともに中皿が回転、下降し、棒状化粧料が容器内に戻ることを防ぐ工夫がなされている。また、中皿に備えた突起が外筒に設けられた螺旋溝に接触し、抵抗を持たせるようにした工夫もなされている。
【０００３】
しかし、前記の内筒と外筒の間にシリコーン油等の粘滑な油剤を付着させる方法では、温度により付着させる油の粘性が変化し、抵抗が一定にならず、気温が低い場合は抵抗が大きくなり回転させ難く、また気温が高くなると抵抗が低くなり、容器内に棒状化粧料が戻ることが起きる。そして、付着させる油の量が多くなりすぎると油剤が内筒と外筒の間からはみだす等の問題が発生する。そこで、これらの問題を解消すべく種々の検討がなされている。例えば、溝管を軸方向に向かってテーパ状に成形し、螺旋管と溝管との間の摺動抵抗を増大させることにより棒状化粧料が容器内に戻る現象を防止する方法（特許文献１）や内筒と外筒の間にＯリングを設けて回転摺動トルクを制御する方法（特許文献２）等が提案されている。
【０００４】
しかしながら、前記の提案では、スムーズに収納した棒状化粧料を出し入れすることや使用中に容器内に棒状化粧料が戻ってしまうという問題点を十分に解決するに至っていないのが現状である。
【特許文献１】実公平７−５２６５３号公報
【特許文献２】実開平５−７４４１６号公報
【発明の開示】
【発明が解決しようとする課題】
【０００５】
解決しようとする課題は、使用時に収納された棒状化粧料が容器内に戻る現象がない機構を有した繰上式棒状化粧料容器の提供である。
【課題を解決するための手段】
【０００６】
上記課題を解決するため、発明者は鋭意検討を重ねた結果、内側に螺旋溝を設けた外筒に、上端に円周方向の停止溝を連ねる軸方向の案内孔を有する内筒を回転可能で進退不可に内嵌めし、外周から突起を突設した筒体の棒状化粧料の中皿を内筒に内嵌めすると共に突起を前記案内孔を通して螺旋溝内に遊合させ、中皿を筒体内に内嵌めすると共に案内突起を前記案内孔を通して螺旋溝に遊合できる機構を有した繰上式棒状化粧料容器において、前記中皿の外周面に備えた突起物の形状が、２つの円弧状からなり該円弧状突起の外径が内筒に設けた縦方向の案内孔の幅よりも大きくなる大きさに備えることで、棒状化粧料を出し入れする際に中皿外周面に設けた円弧状の突起と内筒に設けた案内孔との接触抵抗を増大させ、棒状化粧料の容器内への戻りを防ぐことを見出し、本発明を完成するに至った。
【０００７】
即ち、本発明の繰上式棒状化粧料容器は、中皿の外周面に設けた円弧状の突起部の外周径が内筒に設けた案内孔の幅よりも若干大きくすることにより外突起と案内孔の接触抵抗を発生させ、該中皿の外周面に設けた円弧状突起部にベント効果をもたせることにより、該中皿が該内筒内を上下する際の抵抗を単に増大させるだけでなく棒状化粧料の容器内への戻りを防ぐ効果を有するとともに適度な接触抵抗をもたらし、該中皿の該内筒内での移動を滑らか且スムーズに行えることを可能とした。
【発明の効果】
【０００８】
本発明の繰上式棒状化粧料容器は、中皿の外周面に設けた突起部の形状を円弧状とする簡易な構造を有することにより、棒状化粧料の容器内への戻りを防ぐととも使用性を向上させる効果を有する。
【発明を実施するための最良の形態】
【０００９】
本発明の中皿の外周面に設ける円弧状の突起部の形状は、ベント効果を有する形状であればその形状に制限は無いが、成型性や作動性より円弧状が好ましく、その外周径は内筒に設ける案内孔の溝幅よりも０．１〜０．２ミリメートル大きくなるような円形が好ましく、正円がより好ましい。そして、円弧状の突起部の外周径が内筒に設ける案内孔の溝幅よりも０．１ミリメートルより小さい場合や０．２ミリメートルより大きい場合はベント効果が有効に作用しない場合が発生する。また、該突起部は、外筒に設けた螺旋溝の螺旋角度と同様の角度で対象となるように２ヶ所に切欠け部を設けた円弧状が好ましい。そして、２つの円弧状突起部の間は０．５〜１．０ミリメートルが好ましい。また、中皿の外周面に設ける円弧状突起部の高さは、内筒に設けた案内孔と外筒に設けた螺旋溝をガイドとして支障なく作動できる高さであれば制限はなく、材質についても上記形状に成形可能な樹脂等であれば特に制限はない。
【実施例】
【００１０】
以下、実施例を挙げて本発明を具体的に説明する。なお、本発明はこれに限定されるものではない。
【００１１】
図１には、一般的な繰上式棒状化粧料容器の内筒の斜視図を示す。
【００１２】
図２には、従来の中皿の斜視図を示す。
【００１３】
図３には、本発明の中皿の斜視図を示す。
【００１４】
図４には、本発明の中皿の外周面に設けた円弧状突起部の正面図を示す。
【００１５】
図５には、本発明の中皿を内筒に内嵌させ、該中皿の外周面に設けた２つの円弧状突起部の間が該内筒に設けた案内孔により狭められた状態を示す。
【００１６】
本発明の繰上式棒状化粧料容器は、図1に示す一般的な繰上式棒状化粧料容器に用いられている内筒１を用いることができ、該内筒１にセットする中皿４の外周面に設ける円弧状突起部５が、該内筒に設けた案内孔２に接触し、移動する際に摩擦抵抗を生じることで棒状化粧料の容器内への戻りを防ぐ機構を有している。
【００１７】
次に、本発明の繰上式棒状化粧料容器が棒状化粧料の容器内への戻り防止機構について説明する。本発明の繰上式棒状化粧料容器に用いる中皿４の外周面に設けた円弧状突起部５は、内筒１に設けた案内孔２に内嵌するまでは、２つの円弧状突起部５ａ及び５ｂの間隔６が０．５〜１．０ミリメートルであるが、図５に示すように中皿４を内筒１に設けた案内孔２に内嵌めした状態では、２つの円弧状突起部の外周部が案内孔２に強く接触し、２つの円弧状突起部５ａ及び５ｂの間隔６が殆ど無くなる状態まで２つの円弧状突起部５の形状が変形し接近する。この変形による円弧状突起部５のベント作用により、該円弧状突起部と案内孔接触部に適度な抵抗が発生し、棒状化粧料の容器内への戻りが防止できるとともに中皿４がスムーズに該案内孔内を移動できる。
【産業上の利用可能性】
【００１８】
本発明の繰上式棒状化粧料容器は、中皿の外周面に設けた突起部の形状を円弧状等の簡易な構造にすることにより、棒状化粧料の容器内への戻りを防ぐととも使用性を向上させる効果を有するため、広く化粧料容器への応用が期待できる。
【図面の簡単な説明】
【００１９】
【図１】一般的な繰上式棒状化粧料容器の内筒の斜視図。
【図２】本従来の中皿の斜視図。
【図３】本発明の中皿の斜視図。
【図４】本発明の中皿の外周面に設けた円弧状突起部の正面図。
【図５】本発明の中皿を内筒に内嵌させ、該中皿に設けた２つの円弧状突起部の間が該内筒に設けた案内孔により狭められた状態を示す図。
【符号の説明】
【００２０】
１            内筒
２            案内孔
３            把持部
４            中皿
５            円弧状突起部
５ａ，５ｂ    円弧状突起部の端部
７            突起部
【図２】
2008011993.tif 000003
【図３】
2008011993.tif 000004
【図４】
2008011993.tif 000005
【図５】
2008011993.tif 000006
【図１】
2008011993.tif 000007